(57)【要約】      （修正有）【課題】キーコード変換時にタンブラーを正確に位置決め保持し、正確なキーコード変換を行える錠を提供する。【解決手段】鍵挿入孔３５を有した内筒３０、内筒を相対回転可能に収容保持する外筒２０、及びロック機構を備えた錠２と、ロック機構による相対回転の規制を解除する鍵１とからディスクタンブラー錠が構成される。内筒がメイン内筒３１とサブ内筒４０とを備え、ロック機構が第１タンブラー４３と第２タンブラー４４とサイドバー４５とを備える。鍵挿入孔内に所定の鍵を挿入し第２タンブラーをアンロック位置に移動させてロック部材による相対回転の規制を解除し、第１及び第２タンブラーの係合を解除させ、所定の鍵に代えて第２の鍵を挿入して第１タンブラーのみを軸直角方向に移動させた後、第１及び第２タンブラーを再係合させることでキーコードを変換する。第２タンブラーの少なくとも一部を受容保持する係止保持部がメイン内筒に形成されている。【選択図】図３
2017040055.tif 000002
【特許請求の範囲】
【請求項１】
鍵挿入孔を有した内筒、前記内筒を相対回転可能に収容保持する外筒、および前記外筒に対する前記内筒の相対回転を規制・解除するロック機構を備えた錠と、前記鍵挿入孔に挿入されて前記ロック機構による前記相対回転の規制を解除させるための鍵とから構成されるシリンダー錠において、
前記内筒が、前記鍵挿入孔を有するメイン内筒と、前記メイン内筒の外周部に配置されたサブ内筒とを備えて構成され、
前記ロック機構が、前記メイン内筒内に配置されて前記鍵挿入孔内に挿入された鍵と係合して軸直角方向に移動される第１タンブラーと、前記第１タンブラーと係合して前記サブ内筒内に配置されて前記第１タンブラーとともに軸直角方向に移動される第２タンブラーと、前記第２タンブラーの移動位置に応じて前記相対回転を規制・解除するロック部材とを備え、
前記第１タンブラーと前記第２タンブラーとを係脱させるコード解除手段を備え、
前記鍵挿入孔内に所定の鍵を挿入して前記第１タンブラーを介して前記第２タンブラーをアンロック位置に移動させて前記ロック部材による前記相対回転の規制を解除した状態で、前記コード解除手段により前記第１タンブラーと前記第２タンブラーとの係合を解除させ、前記所定の鍵に代えて第２の鍵を挿入して前記第１タンブラーのみを軸直角方向に移動させた後、前記コード解除手段により前記第１タンブラーと前記第２タンブラーとを再び係合させることにより、前記第２の鍵のみにより前記第２タンブラーをアンロック位置に移動させることができるようにキーコード変換可能であり、
前記コード解除手段により前記第１タンブラーと前記第２タンブラーとの係合を解除させたときに、前記第２タンブラーの少なくとも一部を受容保持する係止保持部が前記メイン内筒に形成されていることを特徴とするシリンダー錠。
【請求項２】
前記第２タンブラーがロック位置のときに前記ロック部材が前記サブ内筒と前記外筒とに跨がって前記相対回転を規制し、前記第２タンブラーがアンロック位置のときに前記ロック部材が前記サブ内筒内に入り込んで前記相対回転を許容するように構成されたことを特徴とする請求項１に記載のシリンダー錠。
【請求項３】
前記コード解除手段は、前記メイン内筒に対して前記サブ内筒を軸方向に相対移動させて前記第１タンブラーと前記第２タンブラーとの係合を解除させるように構成され、
前記係止保持部は、前記第１タンブラーと前記第２タンブラーとの係合を解除させたときに、前記第２タンブラーにおける前記第１タンブラーとの係合部を受容保持して、前記第１タンブラーとの係合が解除された状態で前記第２タンブラーが前記サブ内筒内で軸直角方向に移動しないように保持することを特徴とする請求項１もしくは２に記載のシリンダー錠。
【発明の詳細な説明】
【技術分野】
【０００１】
本発明は、解錠、施錠操作を行うために用いられる鍵(キー)のみを交換して錠本体はそのまま使用可能、すなわちキーコードを交換可能なシリンダー錠に関する。
【背景技術】
【０００２】
錠前（Lock set）は、施錠対象物を施錠する錠（Lock）と、この錠に差し込まれて施錠および解錠作動を行わせる鍵（Key）とから構成されるが、一つの錠に対して一種類の鍵
が用いられ、別の種類の鍵では施錠・解錠できない構成である。このため、鍵を紛失した場合や、ある店舗で使用していた錠前を用いる装置を別の店舗に移動する場合などにおいては、セキュリティ対策上の理由から、錠前すなわち、鍵およびこれに対応する錠を新たなものに交換するのが一般的で、交換費用および時間がかかるという問題がある。なお、特許文献１には、通常の鍵によって施錠・解錠する構成とした上で、交換用の鍵によって錠を取り外し可能として、錠を正面から取り外して容易に交換可能とすることが開示されている。
【０００３】
さらに、錠を交換することなくキーコードを変更して、前の鍵での施錠・解錠を不能にするとともに、変更したキーコードに対応する新たな鍵による施錠・解錠を可能にできるような構成のシリンダー錠も用いられている（例えば、特許文献２参照）。
【先行技術文献】
【特許文献】
【０００４】
【特許文献１】特開平１０−８８８７４号公報
【特許文献２】特開２００９−２９９２６９号公報
【発明の概要】
【発明が解決しようとする課題】
【０００５】
シリンダー錠のコード変換機構としては、コード変換鍵を用いたり、シリンダー錠の後に設けたリセットレバーを用いたり、コード変換治具を用いたりして、鍵を錠本体に挿入して通常使用位置を越えてコード変換位置まで回動し、コード変換位置でこの鍵を抜いて新たな鍵を差し込み、新たな鍵に対応するようにタンブラーの位置を変更し、この新たな鍵に対応するキーコードに変更設定するものが知られている。この場合、コード変換位置でタンブラーの位置を正確に保持しておかないと、部品クリアランスの存在や、摩耗による位置決め精度の低下などを原因として、キーコード変換後に通常の施錠および解錠位置に戻すときにタンブラーを元の位置に戻すのが難しかったり、戻す位置がずれて正確なキーコード変換ができなくなったりするおそれがあるという問題がある。
【０００６】
本発明は、このような問題に鑑みてなされたものであり、キーコード変換が可能な構成において、キーコード変換時にタンブラーを正確に位置決め保持して、正確なキーコード変換が可能であるシリンダー錠を提供することを目的とする。
【課題を解決するための手段】
【０００７】
このような目的を達成するため、本発明に係るシリンダー錠は、鍵挿入孔を有した内筒、前記内筒を相対回転可能に収容保持する外筒、および前記外筒に対する前記内筒の相対回転を規制・解除するロック機構を備えた錠と、前記鍵挿入孔に挿入されて前記ロック機構による前記相対回転の規制を解除させるための鍵とから構成される。そして、前記内筒が、前記鍵挿入孔を有するメイン内筒と、前記メイン内筒の外周部に配置されたサブ内筒とを備えて構成され、前記ロック機構が、前記メイン内筒内に配置されて前記鍵挿入孔内
に挿入された鍵と係合して軸直角方向に移動される第１タンブラーと、前記第１タンブラーと係合して前記サブ内筒内に配置されて前記第１タンブラーとともに軸直角方向に移動される第２タンブラーと、前記第２タンブラーの移動位置に応じて前記相対回転を規制・解除するロック部材（例えば、実施形態におけるサイドバー）とを備え、前記第１タンブラーと前記第２タンブラーとを係脱させるコード解除手段を備える。その上で、前記鍵挿入孔内に所定の鍵を挿入して前記第１タンブラーを介して前記第２タンブラーをアンロック位置に移動させて前記ロック部材による前記相対回転の規制を解除した状態で、前記コード解除手段により前記第１タンブラーと前記第２タンブラーとの係合を解除させ、前記所定の鍵に代えて第２の鍵を挿入して前記第１タンブラーのみを軸直角方向に移動させた後、前記コード解除手段により前記第１タンブラーと前記第２タンブラーとを再び係合させることにより、前記第２の鍵のみにより前記第２タンブラーをアンロック位置に移動させることができるようにキーコード変換可能であり、前記コード解除手段により前記第１タンブラーと前記第２タンブラーとの係合を解除させたときに、前記第２タンブラーの少なくとも一部を受容保持する係止保持部が前記メイン内筒に形成されていることを特徴とする。
【０００８】
上記構成のシリンダー錠において、好ましくは、前記第２タンブラーがロック位置のときに前記ロック部材が前記サブ内筒と前記外筒とに跨がって前記相対回転を規制し、前記第２タンブラーがアンロック位置のときに前記ロック部材が前記サブ内筒内に入り込んで前記相対回転を許容するように構成される。
【０００９】
さらに上記構成のシリンダー錠において、好ましくは、前記コード解除手段は、前記メイン内筒に対して前記サブ内筒を軸方向に相対移動させて前記第１タンブラーと前記第２タンブラーとの係合を解除させるように構成され、前記係止保持部は、前記第１タンブラーと前記第２タンブラーとの係合を解除させたときに、前記第２タンブラーにおける前記第１タンブラーとの係合部を受容保持して、前記第１タンブラーとの係合が解除された状態で前記第２タンブラーが前記サブ内筒内で軸直角方向に移動しないように保持する。
【発明の効果】
【００１０】
本発明によれば、鍵挿入孔内に所定の鍵を挿入して第２タンブラーをアンロック位置に移動させてロック部材による相対回転の規制を解除した状態で、コード解除手段により第１および第２タンブラーの係合を解除させ、次に、所定の鍵に代えて第２の鍵を挿入して第１タンブラーのみを軸直角方向に移動させ、コード解除手段により第１および第２タンブラーを再係合させれば、第２の鍵のみにより第２タンブラーをアンロック位置に移動させることができるようにキーコード変換可能である。この場合において、コード解除手段により第１およびタンブラーの係合を解除させたときに、第２タンブラーの少なくとも一部を受容保持する係止保持部がメイン内筒に形成されているので、キーコード変換時に第２タンブラーが位置ずれすることなく正確に位置決め保持することができ、コード解除手段により第１および第２タンブラーを再係合させるときに位置ずれを生じさせることがなく、両者をスムーズに係合させることが可能で、正確なキーコード変換が可能となる。
【図面の簡単な説明】
【００１１】
【図１】本発明を適用したシリンダー錠（ディスクタンブラー錠）の鍵および錠の全体外観を示す斜視図である。
【図２】前記シリンダー錠の全体外観を示す正面図である。
【図３】前記シリンダー錠の分解斜視図である。
【図４】前記シリンダー錠を構成する錠の軸方向に沿った断面図である。
【図５】前記錠の一部を拡大して示す分解斜視図である。
【図６】前記シリンダー錠において、錠に鍵を半挿入した状態での外観を示す正面図である。
【図７】前記シリンダー錠において、鍵を半挿入した状態での半挿し防止タンブラーを有する部分の軸直角方向の断面図である。
【図８】前記シリンダー錠において、鍵を未挿入の状態での第１および第２タンブラーを保持する部分の軸直角方向の断面図である。
【図９】前記シリンダー錠において、鍵を半挿入した状態での第１および第２タンブラーを保持する部分の軸直角方向の断面図である。
【図１０】前記シリンダー錠において、錠に鍵を完全挿入した状態での外観を示す正面図である。
【図１１】前記シリンダー錠において、鍵を完全挿入した状態での半挿し防止タンブラーを有する部分の軸直角方向の断面図である。
【図１２】前記シリンダー錠において、鍵を完全挿入した状態での全体外観図［図１２（ａ）］および第１および第２タンブラーを保持する部分の軸直角方向の断面図［図１２（ｂ）］である。
【図１３】前記シリンダー錠において、鍵を完全挿入してこれを時計回りに回転させるときにおける全体外観図［図１３（ａ）］および第１および第２タンブラーを保持する部分の軸直角方向の断面図［図１３（ｂ）］である。
【図１４】前記シリンダー錠において、鍵を完全挿入してこれを時計回りにある程度回転させた状態での第１および第２タンブラーを保持する部分の軸直角方向の断面図である。
【図１５】前記シリンダー錠において、錠の後側を示す図である。
【図１６】前記シリンダー錠を構成する錠に変換治具を挿入した状態を示す軸方向に沿った断面図である。
【図１７】前記シリンダー錠において、錠を構成する外筒部材の仕切り壁の前面形状を示す斜視図である。
【図１８】前記シリンダー錠において、鍵により内筒をコード変換位置まで１８０度回転させた状態を示す斜視図である。
【図１９】前記シリンダー錠において、鍵により内筒をコード変換位置まで１８０度回転させた状態において、第１および第２タンブラーを保持する部分の軸直角方向の断面図である。
【図２０】前記シリンダー錠における第１および第２タンブラーの形状および位置関係を示す斜視図である。
【図２１】前記シリンダー錠において、鍵により内筒をコード変換位置まで１８０度回転させた状態において、第２タンブラーを保持する部分の軸直角方向の断面図である。
【発明を実施するための形態】
【００１２】
以下、好ましい実施形態について、図面を参照しながら説明する。本実施形態に係るディスクタンブラー錠ＤＴＫは、図１および図２に示すように、施錠および解錠操作を行うための鍵１と、この鍵１が挿入される鍵挿入孔（鍵穴）３５を備えた錠２とから構成される。
【００１３】
鍵１は、人が手で持って鍵挿入孔３５に挿入して回転させて、錠２による施錠および解錠を行うためのもので、把持部１１と挿入部１２とを一体に有して構成される。把持部１１は円盤状で図示のように指で持ちやすい形状になっている。挿入部１２は帯板状に形成され、上下両面にそれぞれ独立してキー溝１３が形成されている。さらに、挿入部１２の片側端面に挿入方向に伸びる誤挿入防止突起１５が設けられており、反対側端の根元部に側方に突出する解除突起１４が設けられている。
【００１４】
鍵１により施錠および解錠が行われる錠２は、図３および図４に示すように、前側が開口した円筒状の挿入空間２１ａを有する外筒部材２１を備えて構成される外筒２０と、挿入空間２１a内に前側から回転自在に受容される内筒３０と、挿入空間２１ａ内において
内筒３０に連結板６３を介して連結されて外筒２０の後側に突出するテール部６を備えて構成される。
【００１５】
外筒２０は、外筒部材２１の後端面に皿ネジ２５ａにより取り付けられる蓋２５を備える。外筒部材２１は円筒状に形成され、内部に前後に貫通して挿入空間２１ａが形成されている。挿入空間２１ａは、前面側から大きく開口した大径の円筒状空間２１ｂと、中間部において内径側に絞られて形成される小径の円筒状空間２１ｃと、後側に位置して外径側に広がつて形成されるとともに後面側に開口する中間径の円筒状空間２１ｄとからなり、小径の円筒状空間２１ｃを形成する内径側に絞られた中間部により仕切り壁２８が形成される。外筒部材２１の前側の円筒状空間２１ｂ内に、前端側から仕切り壁２８に向かって軸方向に延びて、上下一対のロック溝２２ａ，２２ｂと、左右対称に対向する上側逃がし溝２３ａ，２３ｂおよび下側逃がし溝２４ａ，２４ｂが形成されている。（図８など参照）
【００１６】
内筒３０は、図５に拡大して示すように、前側に円盤状のフランジ部３１ａを有し、上下に切頭平面が形成されたメイン内筒３１と、メイン内筒３１の上側切頭平面上に載置される上サブ内筒４０と、下側切頭平面に載置される下サブ内筒５０を備える。メイン内筒３１の中央に前面に開口した鍵挿入孔３５が形成され、鍵挿入孔３５の側端に軸方向に延びて誤挿入防止溝３５ａが形成されている。なお、後述するように、誤挿入防止溝３５ａに鍵１の誤挿入防止突起１５が係合する。メイン内筒３１の上載置面には左右に延びる複数の第１タンブラー受容溝３２が前後に並んで形成されており、ここに第１タンブラー４３が受容配置される。第１タンブラー４３は、図２０に示すように、下側に突出する左右の支持脚４３ｂ，４３ｂと中央の係合脚４３ａを有し、上面に複数の連結溝４３ｃが形成されている。メイン内筒３１の下載置面にも左右に延びる複数の第１タンブラー受容溝３３が前後に並んで形成されており、ここに第１タンブラー５３が受容配置される。第１タンブラー５３は上記第１タンブラー４３と同一形状である。また、メイン内筒３１の上載置面には、図５に示すように、幅方向中央に位置して各第１タンブラー受容溝３２とその前側において繋がる係止保持溝３２ａが形成されている。図５には現れないが、メイン内筒３１の下載置面にも同様に、幅方向中央に位置して各第１タンブラー受容溝３３とその後側において繋がる係止保持溝３３ａが形成されている。
【００１７】
上サブ内筒４０は、図５に示すように、その下面に、左右に延びる複数の第２タンブラー受容溝４１が前後に並んで形成されており、ここに第２タンブラー４４が受容配置される。第２タンブラー４４は、図２０に示すように、下面側に第１タンブラー４３の連結溝４３ｃと係合可能な一対の連結脚４４ｂを有し、上面側にバー受容溝４４ａが形成されている。上サブ内筒４０の上面にはバー配置空間４２が形成されており、ここに上サイドバー４５が配置される。このとき、上サイドバー４５の前後の下面にバネ４６が配置され、バネ４６により上サイドバー４５が上サブ内筒４０に対して上方に（外径方向に）付勢される。下サブ内筒５０は上サブ内筒４０と同様な構成であり、詳細説明は省略するが、第２タンブラー受容溝５１およびバー配置空間５２が形成され、それぞれに第２タンブラー５４および下サイドバー５５が配置され、下サイドバー５５はバネ５６により下方に（外径方向に）付勢される。
【００１８】
さらに、メイン内筒３１のフランジ部３１ａの直後に半挿し防止タンブラー３６がバネ３７により側方に付勢されて取り付けられる。半挿し防止タンブラー３６をメイン内筒３１に取り付けた状態を図７に示しており、右端に防止突起３６ａを有し、左端に係合部３６ｂを有し、バネ３７により右方に付勢される。外筒部材２１には半挿し防止溝２１ａが形成されており、防止突起３６ａが半挿し防止溝２１ａに入り込んで内筒２０が外筒３０に対して回転するのが規制される。
【００１９】
このように構成される内筒３０を外筒部材２１の前側の円筒状空間２１ｂ内に挿入配置した状態を図４に示している。この状態では、メイン内筒３１の後端部３１ｂが小径の円筒状空間２１ｃを通って後側の円筒状空間２１ｄ内に突出するので、後端部３１ｂの外周にスナップリング３８を取り付けて内筒３０を外筒部材２１に保持する。このとき、上サブ内筒４０および下サブ内筒５０は、フランジ部３１ａとの間に配置されたバネ４２，５２により後方に付勢され、後端部が仕切り壁２８の前面と当接する。仕切り壁２８の前面は、図１７に示すように、上サブ内筒４０の後端部が当接する後方に下がった第１当接面２８ａと、下サブ内筒５０の後端部が当接する前方に位置する第２当接面２８ｂを有し、両面２８ａ，２８ｂの間に斜めに延びるテーパ面２８ｃが形成されている。
【００２０】
このように内筒３０を外筒２０内に取り付けた状態では、図８に示すように、メイン内筒３１の第１タンブラー受容溝３２に受容配置された第１タンブラー４３の連結溝４３ｃに、上サブ内筒４０の第２タンブラー受容溝４１に受容配置された第２タンブラー４４の連結脚５４ｂが係合する。これにより、第１タンブラー４３および第２タンブラー４４が一体となって左右に移動可能な状態となる。下サブ内筒５０側においても同様で、第１タンブラー５３と第２タンブラー５４が連結溝５３ｃと連結脚５４ｂとの係合により一体となって左右に移動可能な状態となる。このとき、第１タンブラー４３，５３および第２タンブラー４４，５４の組み合わせは、前後に複数並んで設けられ、鍵１を外した状態で、第２タンブラー４４，５４のバー受容溝４４ａ，５４ａは中央位置から外れて位置する。この状態で、第１タンブラー４３，５３の係合脚４３ａ，５３ａは鍵挿入孔３５内に突出する。
【００２１】
一方、バネ４６により外径方向に付勢された上サイドバー４５は、その上部に位置するロック部４５ｂが外筒部材２１の上ロック溝２２ａ内に入り込み、下部に位置する突部４５ａは第２タンブラー４４の上面に対向して上サイドバー４５が下動するのが規制される。下サイドバー５５についても同様で、その下部に位置するロック部５５ｂが外筒部材２１の下ロック溝２２ｂ内に入り込み、上部に位置する突部５５ａは第２タンブラー５４の下面に対向して下サイドバー５５が上動するのが規制される。
【００２２】
ディスクタンブラー錠ＤＴＫは、外筒部材２１の挿入空間２１ａ（大径の円筒状空間２１ｂ）に挿入配置された内筒３０を鍵１により回転させて錠２による施錠、解錠を行うものである。このため、外筒部材２１に対する内筒３０が摺接する円筒状嵌合面（大径の円筒状空間２１ｂの外周面）が重要であり、これをシェア面と称し、その断面におけるシェア面を示す線をシェアラインと称して説明する。上記の状態では、上および下サイドバー４５，５５のロック部４５ｂ，５５ｂがシェア面（シェアライン）を横切って位置しており、これにより、外筒２０に対して内筒３０が回転するのが規制される。
【００２３】
以上のようにして内筒３０を外筒２０内に取り付けると、次にその後端部にテール部６を取り付ける。テール部６は、バネ６４により後方に付勢される連結板６３と、連結板６３を内部に位置させてメイン内筒３１の後部３１ｂを覆うようにして取り付けられるテールジョイント６０と、テールジョイント６０の中間部６０ｂに取り付けられる角度規制カム６５とを備える。テールジョイント６０は円筒状に形成された前部６０ａがメイン内筒３１の後部３１ｂを覆って外筒部材２１の後部円筒状空間２１ｄ内に回転自在に配置され、外筒部材２１の後端面に皿ネジ２５ａで固定された蓋２５により回転自在なまま保持される。この蓋２５の後に位置して角度規制カム６５がテールジョイント６０の中間部６０ｂに固定される。メイン内筒３１の後部３１ｂ内およびテールジョイント６０の前部６０ａ内に互いに対向して断面矩形状の連結板受容空間３１ｃ，６２が形成されており、連結板６３は連結板受容空間３１ｃ，６２内に跨がって前後移動可能に受容され、バネ６４の付勢を受けて連結板６３の先端が連結受容空間６２に入り込んだ状態となる。これにより、メイン内筒２１とテールジョイント６０とが連結板６３を介して一体回転するように連
結される。なお、テールジョイント６０はその後部６０ｃの後端から連結板受容空間６２内に貫通する治具挿入孔６０ｄが形成されている。
【００２４】
以上のように構成された錠２は、ロック対象物に装着して用いるときには、まず内筒３０に連結されたテール部６にロック部材（図示せず）を取り付ける。このため、テール部６の後部６０ｃの外周に雄ネジが形成されており、ロック部材をテール部６の後部６０ｃに螺合させて取り付ける。さらに外筒２０をロック対象物に取り付ける。そして鍵１の挿入部１２を鍵挿入孔３５に挿入して内筒３０を回転させることによりテール部６に取り付けられたロック部材を回転させ、これをロック対象物の被係合部に係合させてロック（施錠）し、ロック部材を逆回転させてアンロック（解錠）する。
【００２５】
この鍵１による施錠および解錠作動について説明する。鍵１を錠２から取り外した施錠状態では、図８に示すように、上サイドバー４５はロック部４５ｂが外筒部材２１の上ロック溝２２ａ内に入り込み、突部４５ａは第２タンブラー４４の上面に対向して上サイドバー４５が下動するのが規制され、下サイドバー５５はロック部５５ｂが外筒部材２１の下ロック溝２２ｂ内に入り込み、突部５５ａは第２タンブラー５４の下面に対向して下サイドバー５５が上動するのが規制される。このため、上および下サイドバー４５，５５のロック部４５ｂ，５５ｂがシェア面（シェアライン）を横切って位置し、外筒２０に対して内筒３０が回転するのが規制され、ロック部材がロック対象物の被係合部に係合した施錠状態が維持される。
【００２６】
この状態から鍵１の挿入部１２を鍵挿入孔３５に挿入する。このとき、誤挿入防止突起１５を誤挿入防止溝３５ａ内に嵌入させる方向においてのみ挿入部１２を挿入可能であり、挿入部１２を上下逆にして誤挿入することを防止している。図６に示すように、挿入部１２を鍵挿入孔３５に半挿入した状態での半挿し防止タンブラー３６を図７に示している。この状態では、半挿し防止タンブラー３６はバネ３７により右方に付勢されているため、防止突起３６ａが外筒部材２１の半挿し防止溝２１ａに嵌入している。なお、係合部３６ｂは鍵１の挿入部１２の左端面と近接する。このように防止突起３６ａが半挿し防止溝２１ａに嵌入することにより、防止突起３６ａがシェア面（シェアライン）を横切って位置し、鍵1の半挿し状態で、内筒３０が外筒２０内で相対回転することを防止する。
【００２７】
鍵１の半挿し状態での第１および第２タンブラー４３，４４，５３，５４と、上下サイドバー４５，５５の位置関係を図９に示している。鍵１の挿入部１２が鍵挿入孔３５内に挿入されると、鍵挿入孔３５内に突出する第１タンブラー４３，５３の係合脚４３ａ，５３ａがキー溝１３内に入り込む。キー溝１３は挿入部１２の上下両面に独立して形成された上下のキー溝１３ａ，１３ｂから構成される。これらキー溝１３ａ，１３ｂは、図１１に示すように、係合脚４３ａ，５３ａを受容する幅を有して所定の形状に形成されており、挿入部１２が挿入されるのに応じて係合脚４３ａ，５３ａを介して第１タンブラー４３，５３がキー溝１３ａ，１３ｂの形状に対応して左右に移動される。ここで、第２タンブラー４４，５４は連結脚４４ｂ，５４ｂおよび連結溝４３ｃ，５３ｃの係合により第１タンブラー４３，５３と係合されているので、第２タンブラー４４，５４は第１タンブラー４３，５３と一緒に左右に移動される。この結果、第１および第２タンブラー４３，４４，５３，５４は、図８の位置から図９の位置まで、例えば左動される。この状態では、上サイドバー４５のロック部４５ｂが外筒部材２１の上ロック溝２２ａ内に入り込み、突部４５ａは第２タンブラー４４の上面に対向して上サイドバー４５が下動するのが規制され、下サイドバー５５はロック部５５ｂが外筒部材２１の下ロック溝２２ｂ内に入り込み、突部５５ａは第２タンブラー５４の下面に対向して下サイドバー５５が上動するのが規制されたままである。このため、上および下サイドバー４５，５５のロック部４５ｂ，５５ｂがシェア面（シェアライン）を横切って位置し、外筒２０に対して内筒３０が回転するのが規制されたままである。
【００２８】
さらに鍵１を押し込んで、図１０に示すように鍵挿入孔３５に完全に挿入すると、鍵１の挿入部１１の解除突起１４が係合部３６ｂと当接し、バネ３７の付勢に抗して半挿し防止タンブラー３６を左動させる。この結果、図１１に示すように、防止突起３６ａが外筒部材２１の半挿し防止溝２１ａから離脱し（シェア面の内側に移動し）、半挿し防止タンブラー３６による内筒３０の外筒２０内での相対回転規制を解除する。
【００２９】
また、挿入部１２が完全挿入位置まで挿入されるのに応じて、係合脚４３ａ，５３ａを介して第１タンブラー４３，５３がキー溝１３の形状に対応して左右に移動され、これと一緒に第２タンブラー４４，５４も左右に移動される。この結果、鍵１を完全挿入した状態では、図１２に示すように、第２タンブラー４４，５４のバー受容溝４４ａ，５４ａが上下サイドバー４５，５５の突部４５ａ，５５ａと上下に対向した状態となる。このような状態となるように、キー溝１３の形状と、連結脚４４ｂ，５４ｂおよび連結溝４３ｃ，５３ｃの係合位置が設定されており、この設定はディスクタンブラー錠ＤＴＫ毎に相違する。
【００３０】
この状態から図１３（ａ）に示すように鍵１を時計方向に回転させると、図１３（ｂ）〜図１４に示すように上下サイドバー４５，５５が、ロック部４５ｂ，５５ｂのテーパ面および上下ロック溝２３ａ，２３ｂのテーパ面に沿って押し下げられ、突部４５ａ，５５ａがバー受容溝４４ａ，５４ａ内に入り込み、外筒２０に対する内筒３０の回転を許容する。このようにして鍵１を回転させて内筒３０を回転させることができ、これにより内筒３０に連結板６３を介して連結されたテール部６を一緒に回転させることができる。上述のようテール部６にロック部材が取り付けられており、テール部６と一緒にロック部材を回転させ、これをロック対象物の被係合部に係合させてロック（施錠）することができる。さらに、鍵１を反時計回りに逆回転させて、ロック部材を逆回転させてアンロック（解錠）することができる。
【００３１】
なお、図１５に示すように、テールジョイント６０の中間部６０ｂに角度規制カム６５が固定されており、鍵１により内筒３０を回転させるときの角度規制が行われる。具体的には、角度規制カム６５は所定角度間隔を置いて形成された規制突起６５ａ，６５ｂを有しており、これらの間に外筒部材２１の後部の一部が後方に突出した規制突出部２１ｅが位置するようになっている。図１２（ａ）に示すように鍵１を完全挿入した状態から鍵１を回して内筒３０およびテール部６を回転させる開始時に、角度規制カム６５は図１５に示す位置関係であり、鍵１を時計回り（図１５では反時計回り）に回転させることが可能である。この回転は規制突起６５ｂが規制突出部２１ｅに当接するまで可能で、内筒３０およびテール部６の約９０度の回転を許容する。この角度範囲が施錠・解錠を行う通常作動範囲であり、鍵１を挿入したときの回転開始位置を施錠位置、９０度回転した位置を解錠位置と称する。一方、図１５の状態（鍵１を挿入したときの回転開始位置）から鍵を反時計回り（図１５では時計回り）に回転させようとしても、規制突起６５ａが規制突出部２１ｅに当接するため、反時計方向については内筒３０を回転させることができないようになっている。
【００３２】
以上、ディスクタンブラー錠ＤＴＫの構造および作動を説明したが、このディスクタンブラー錠ＤＴＫにおいては、錠２を代えることなくキーコードを変換して今まで使用してきた鍵１を使えなくして、新しい鍵１’を使用可能とすることができる構成となっている。このキーコードの変換について以下に説明する。
【００３３】
キーコード変換は、変換治具７（図３参照）を用いて行われる。上述のように、鍵１を鍵挿入孔３５に完全挿入した状態（図４および図８の状態）で、変換治具７の把持部７２を指で持って先端に位置する棒状部７１をテールジョイント６０の治具挿入孔６０ｄ内に
挿入する。棒状部７１を治具挿入孔６０ｄ内に完全に挿入した状態を図１６に示しており、このときには棒状部７１の先端が連結板６３の後端に当接してバネ６４の付勢に抗して連結板６３を前動させる。この結果、連結板６３は連結受容空間６２から抜け出してメイン内筒３１の連結板受容空間３１ｃ内に入り込み、メイン内筒３１とテールジョイン６０との連結が解除される。そして、この状態で鍵１を図１８に示す位置まで１８０度回転させる。このとき連結板６３による連結が解除されているので、テールジョイント６０は固定のまま回転せず、内筒３０および連結板６３のみが回転する。また、角度規制カム６５も回転しないので角度規制が作用せず、内筒３０を、９０度を超えて１８０度まで回転させることが可能である。このように内筒３０を１８０度回転させた位置をキーコード変換位置と称する。但し、逆方向の回転と、１８０度を超える回転を規制するように、内筒３０に角度規制手段を設けているが、これについては図示していない。
【００３４】
上記のようにして鍵１により内筒３０を１８０度回転させると、図１９に示すように、上サブ内筒４０が下側に、下サブ内筒５０が上側に位置する。このとき、上サイドバー４５が真下に位置して下ロック溝２２ｂと対向し、下サイドバー５５が真上に位置して上ロック溝２３ｂと対向するが、一方のサイドバーは前後端がロック溝の外側に位置し、他方のサイドバーは中央部がサイドバー抑え２９（図１６参照）により抑えられて、いずれのロック溝２３ａ，２３ｂ内にも入り込まないようになっている。なお、連結板受容空間３１ｃ，６２は、内筒３０の回転中心から偏心した位置に形成されており、内筒３０および連結板６３を１８０度回転させると、連結板６３はテールジョイント６５の連結板受容空間６２とは偏心量に応じて横にずれて位置し、変換治具７を取り外しても、連結板６３が連結板受容空間６２に入り込めず、図１６に示すように前方に移動した状態のまま保たれる。
【００３５】
上述のように、上サブ内筒４０および下サブ内筒５０はバネ４２，５２により後方に付勢されており、鍵１を１８０度回転させる前の状態では、上サブ内筒４０の後端部が仕切り壁２８の前面における後方に下がった第１当接面２８ａと当接し、下サブ内筒５０の後端部が前方に位置する第２当接面２８ｂと当接している。この状態から内筒３０を１８０度まで回転させると、上サブ内筒４０の後端部が第１当接面２８ａからテーパ面２８ｃを経て第２当接面２８ｂと当接するようになる（但し、通常使用範囲内での９０度の回転では上サブ内筒４０の後端部が第１当接面２８ａに当接したままとなるように第１当接面２８ａが形成されている）。これにより上サブ内筒４０はメイン内筒３１に対して両当接面２８ａ，２８ｂの高さの差だけ前方に移動する。同様に、内筒３０を１８０度まで回転させると、下サブ内筒５０の後端部が第２当接面２８ｂからテーパ面２８ｃを経て第１当接面２８ａと当接するようになり、下サブ内筒５０はメイン内筒３１に対して上記高さの差だけ後方に移動する。
【００３６】
上サブ内筒４０が前方に移動すると、上サブ内筒４０の第２タンブラー受容溝４１に受容されている第２タンブラー４４も一緒に前方に移動し、メイン内筒３１の第１タンブラー受容溝３２に受容されている第１タンブラー４３から前方に離れる。上記高さの差は、第１タンブラー４３，５３および第２タンブラー４４，５４の厚さより若干大きく、第２タンブラー４４は、図２０（ｂ）に示すように、第１タンブラー４３から前方に離れた状態となる。すなわち、第１タンブラー４３の連結溝４３ｃと第２タンブラー４４の連結脚４４ｂとの係合が外れる。このとき、第２タンブラー４４の連結脚４４ｂは、メイン内筒３１の上載置面に形成された係止保持溝３２ａ内に入り込み、図２１に示すように、係止保持溝３２ａにより左右の移動が規制された状態で保持される。同様に、第１タンブラー５３の連結溝５３ｃと第２タンブラー５４の連結脚５４ｂとの係合が外れ、第２タンブラー５４の連結脚５４ｂは、メイン内筒３１の下載置面に形成された係止保持溝３３ａ内に入り込み、係止保持溝３３ａにより左右の移動が規制された状態で保持される。
【００３７】
次に、鍵１を鍵挿入孔３５から抜き取る。このとき、第１タンブラー４３，５３は第１タンブラー受容溝３２内で左右移動が可能であり、鍵１のキー溝１３に対応して左右に移動され、鍵１をそのまま抜き取ることを許容する。このとき、第２タンブラー４４の連結脚４４ｂは係止保持溝３２ａにより左右の移動が規制された状態で保持され、第２タンブラー５４の連結脚５４ｂは係止保持溝３３ａにより左右の移動が規制された状態で保持されている。
【００３８】
そして、新たなキー溝１３’を設けた新たな鍵１’を用意し、その挿入部１２’を鍵挿入孔３５に挿入する。これにより、新たなキー溝１３’に応じて第１タンブラー４３，５３が左右に移動され、新たな鍵１’を完全挿入すると、この鍵１’のキー溝１３’に対応する位置に第１タンブラー４３，５３が位置決めされる。次に、鍵１’をキーコード変換位置から上記とは逆方向に１８０度回転させ、元の位置（施錠位置）に戻し、変換治具７を取り外す。そうすると、連結板６３はバネ６４の付勢を受けてテールジョイント６５の連結板受容空間６２内に入り込み、図４に示す状態となって、連結板６３により内筒３０とテール部６とが連結される。
【００３９】
また、上記のように鍵１’を逆方向に１８０度回転させて内筒３０を元の位置に戻すと、上サブ内筒４０の後端部が第２当接面２８ｂからテーパ面２８ｃを経て第１当接面２８ａと当接するようになり、上サブ内筒４０はメイン内筒３１に対して後方に移動する。このとき、第２タンブラー４４および第１タンブラー４３の位置関係は、図２０（ｂ）から図２０（ａ）に示すように変化し、第１タンブラー４３の連結溝４３ｃと第２タンブラー４４の連結脚４４ｂとが再度係合する。なお、第２タンブラー４４の連結脚４４ｂは係止保持溝３２ａにより左右の移動が規制された状態で保持されているので、その位置が変化することがなく、第１タンブラー４３の連結溝４３ｃと第２タンブラー４４の連結脚４４ｂとをスムーズに再係合させることができる。下サブ内筒５０の後端部は同様に第１当接面２８ａからテーパ面２８ｃを経て第２当接面２８ｂと当接する状態に戻り、下サブ内筒５０はメイン内筒３１に対して前方に移動する。これにより、第１タンブラー５３の連結溝５３ｃと第２タンブラー５４の連結脚５４ｂとが再度係合する。この場合にも、第２タンブラー５４の連結脚５４ｂは係止保持溝３３ａにより左右の移動が規制された状態で保持されているので、その位置が変化することがなく、第１タンブラー５３の連結溝５３ｃと第２タンブラー５４の連結脚５４ｂとをスムーズに再係合させることができる。
【００４０】
以上のように新たな鍵１’を鍵挿入孔３５に差し込んで逆方向に１８０度回転させて元に戻すと、この新たな鍵１’のキー溝１３’に対応して図１２の状態となり、キーコードは新たな鍵１’に対応したものとなる。この後、鍵１’を引き抜けば、キー溝１３’に応じて第１タンブラー４３，５３および第２タンブラー４４，５４が左右に移動され、図８の状態となり、内筒３０の回転が規制された状態となる。
【００４１】
以上、錠２をそのまま用いて、新たな鍵１’に対応するようにキーコードを変換する構成および作動を説明した。この場合、鍵１’の挿入部１２’の上下面にそれぞれ独立してキー溝１３’を設け、上サブ内筒４０および下サブ内筒５０のそれぞれの第１および第２タンブラー４３，５３，４４，５４の係合位置（連結溝５３ｃと連結脚５４ｂとの係合位置）を互いに独立して設定できるようにしているので、外筒２０および内筒３０の前後方向寸法を増やすことなく、キーコードの変換数を多くすることができる。
【００４２】
以上においては、変換治具７の棒状部７１をテールジョイント６０の治具挿入孔６０ｄ内に挿入し連結板６３を前動させてメイン内筒３１とテールジョイン６０との連結を解除し、この状態で鍵１を１８０度回転させて、第１タンブラー４３の連結溝４３ｃと第２タンブラー４４の連結脚４４ｂとの係合を外したときに、第２タンブラー４４の連結脚４４ｂをメイン内筒３１の係止保持溝３２ａ内に入り込ませて、図２１に示すように、係止保
持溝３２ａにより左右の移動が規制して保持する構成を特徴としている。但し、本発明はこの構成に限られるものではなく、第１タンブラー４３の連結溝４３ｃと第２タンブラー４４の連結脚４４ｂとの係合を外したときに、第２タンブラー４４の一部をメイン内筒３１により保持して左右の移動を規制するものであれば良い。
【００４３】
また以上においては、メイン内筒３１の上下に二つのサブ内筒（上および下サブ内筒４０，５０）を設けた構成を例にして説明したが、この構成に限られるものではない。例えば、メイン内筒の外周に一つのサブ内筒を設けても良く、等間隔で複数（例えば、１２０度間隔で三つ）のサブ内筒を設ける構成でも良い。
【００４４】
また、上記実施形態ではディスクタンブラー錠を例に挙げて説明したが、本発明の対象となるシリンダー錠はこれに限られるものではなく、ピンタンブラー形式のシリンダー錠など他の形式のシリンダー錠も対象となるものである。
【符号の説明】
【００４５】
ＤＴＫ  シリンダー錠              １    鍵
１３  キー溝                      ２    錠
２０  外筒                        ３０  内筒
３１  メイン内筒                  ４０  上サブ内筒
５０  下サブ内筒                  ４３，５３  第１タンブラー
４４，５４  第２タンブラー        ４５，５５  上および下サイドバー
６  テール部                      ６０  テールジョイント
６３  連結板                      ６５  角度規制カム
７  変換治具
【図１】
2017040055.tif 000003
【図２】
2017040055.tif 000004
【図３】
2017040055.tif 000005
【図４】
2017040055.tif 000006
【図５】
2017040055.tif 000007
【図６】
2017040055.tif 000008
【図７】
2017040055.tif 000009
【図８】
2017040055.tif 000010
【図９】
2017040055.tif 000011
【図１０】
2017040055.tif 000012
【図１１】
2017040055.tif 000013
【図１２】
2017040055.tif 000014
【図１３】
2017040055.tif 000015
【図１４】
2017040055.tif 000016
【図１５】
2017040055.tif 000017
【図１６】
2017040055.tif 000018
【図１７】
2017040055.tif 000019
【図１８】
2017040055.tif 000020
【図１９】
2017040055.tif 000021
【図２０】
2017040055.tif 000022
【図２１】
2017040055.tif 000023
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
鍵挿入孔を有した内筒、前記内筒を相対回転可能に収容保持する外筒、および前記外筒に対する前記内筒の相対回転を規制・解除するロック機構を備えた錠と、前記鍵挿入孔に挿入されて前記ロック機構による前記相対回転の規制を解除させるための鍵とから構成されるシリンダー錠において、
前記内筒が、前記鍵挿入孔を有するメイン内筒と、前記メイン内筒の外周部に配置されたサブ内筒とを備えて構成され、
前記ロック機構が、前記メイン内筒内に配置されて前記鍵挿入孔内に挿入された鍵と係合して軸直角方向に移動される第１タンブラーと、前記第１タンブラーと係合して前記サブ内筒内に配置されて前記第１タンブラーとともに軸直角方向に移動される第２タンブラーと、前記第２タンブラーの移動位置に応じて前記相対回転を規制・解除するロック部材とを備え、
前記第１タンブラーと前記第２タンブラーとを係脱させるコード解除手段を備え、
前記鍵挿入孔内に所定の鍵を挿入して前記第１タンブラーを介して前記第２タンブラーをアンロック位置に移動させて前記ロック部材による前記相対回転の規制を解除した状態で、前記コード解除手段により前記第１タンブラーと前記第２タンブラーとの係合を解除させ、前記所定の鍵に代えて第２の鍵を挿入して前記第１タンブラーのみを軸直角方向に移動させた後、前記コード解除手段により前記第１タンブラーと前記第２タンブラーとを再び係合させることにより、前記第２の鍵のみにより前記第２タンブラーをアンロック位置に移動させることができるようにキーコード変換可能であり、
前記コード解除手段により前記第１タンブラーと前記第２タンブラーとの係合を解除させたときに、前記第２タンブラーの少なくとも一部を受容保持する係止保持部が前記メイン内筒に形成されており、
前記コード解除手段は、前記メイン内筒に対して前記サブ内筒を軸方向に相対移動させて前記第１タンブラーと前記第２タンブラーとの係合を解除させるように構成され、
前記係止保持部は、前記第１タンブラーと前記第２タンブラーとの係合を解除させたときに、前記第２タンブラーにおける前記第１タンブラーとの係合部を受容保持して、前記第１タンブラーとの係合が解除された状態で前記第２タンブラーが前記サブ内筒内で軸直角方向に移動しないように保持することを特徴とするシリンダー錠。
【請求項２】
前記第２タンブラーがロック位置のときに前記ロック部材が前記サブ内筒と前記外筒とに跨がって前記相対回転を規制し、前記第２タンブラーがアンロック位置のときに前記ロック部材が前記サブ内筒内に入り込んで前記相対回転を許容するように構成されたことを特徴とする請求項１に記載のシリンダー錠。
【手続補正２】
【補正対象書類名】明細書
【補正対象項目名】０００７
【補正方法】変更
【補正の内容】
【０００７】
このような目的を達成するため、本発明に係るシリンダー錠は、鍵挿入孔を有した内筒、前記内筒を相対回転可能に収容保持する外筒、および前記外筒に対する前記内筒の相対回転を規制・解除するロック機構を備えた錠と、前記鍵挿入孔に挿入されて前記ロック機構による前記相対回転の規制を解除させるための鍵とから構成される。そして、前記内筒が、前記鍵挿入孔を有するメイン内筒と、前記メイン内筒の外周部に配置されたサブ内筒とを備えて構成され、前記ロック機構が、前記メイン内筒内に配置されて前記鍵挿入孔内に挿入された鍵と係合して軸直角方向に移動される第１タンブラーと、前記第１タンブラーと係合して前記サブ内筒内に配置されて前記第１タンブラーとともに軸直角方向に移動される第２タンブラーと、前記第２タンブラーの移動位置に応じて前記相対回転を規制・解除するロック部材（例えば、実施形態におけるサイドバー）とを備え、前記第１タンブラーと前記第２タンブラーとを係脱させるコード解除手段を備える。その上で、前記鍵挿入孔内に所定の鍵を挿入して前記第１タンブラーを介して前記第２タンブラーをアンロック位置に移動させて前記ロック部材による前記相対回転の規制を解除した状態で、前記コード解除手段により前記第１タンブラーと前記第２タンブラーとの係合を解除させ、前記所定の鍵に代えて第２の鍵を挿入して前記第１タンブラーのみを軸直角方向に移動させた後、前記コード解除手段により前記第１タンブラーと前記第２タンブラーとを再び係合させることにより、前記第２の鍵のみにより前記第２タンブラーをアンロック位置に移動させることができるようにキーコード変換可能であり、前記コード解除手段により前記第１タンブラーと前記第２タンブラーとの係合を解除させたときに、前記第２タンブラーの少なくとも一部を受容保持する係止保持部が前記メイン内筒に形成されており、さらに、前記コード解除手段は、前記メイン内筒に対して前記サブ内筒を軸方向に相対移動させて前記第１タンブラーと前記第２タンブラーとの係合を解除させるように構成され、前記係止保持部は、前記第１タンブラーと前記第２タンブラーとの係合を解除させたときに、前記第２タンブラーにおける前記第１タンブラーとの係合部を受容保持して、前記第１タンブラーとの係合が解除された状態で前記第２タンブラーが前記サブ内筒内で軸直角方向に移動しないように保持する。
【手続補正３】
【補正対象書類名】明細書
【補正対象項目名】０００９
【補正方法】削除
【補正の内容】